(57)【要約】【課題】  従来の洗濯ネットは、ネット袋内に汚れ物を入れて洗濯機で洗濯するだけのものであり、そのほかに有効な機能がない。【解決手段】  １枚物で展張姿勢と２つ折り姿勢とに変形させ得るようなネット本体１の外周部に、２つ折り姿勢のネット本体１の外周縁部を開閉自在に閉止するファスナー２を設け、さらにネット本体１に上下・左右に所定間隔を隔てて複数個の洗濯物吊下げ用クリップ３，３・・を取付けていることにより、洗濯ネットを洗濯用としての機能のほかに、汚れ物保管場所や乾燥時の物干し具として利用できるとともに、一連の洗濯作業が簡単に行える等の機能を有している。【選択図】  図１
2008284086.tif 000002
【特許請求の範囲】
【請求項１】
所定面積を有した１枚物で平面状態に展張させた展張姿勢と全面積を２分する位置で２つ折りした２つ折り姿勢とに変形させ得るようなネット本体（１）を有し、
前記ネット本体（１）の外周部に、２つ折り姿勢のネット本体（１）における折り部（Ｌ）を除く外周縁部を開閉自在に閉止するファスナー（２）を設け、
前記ネット本体（１）の２つ折り姿勢で該ネット本体（１）の内面側となる面に、上下・左右に所定間隔を隔てて複数個の洗濯物吊下げ用の保持具（３，３・・）を取付けている、
ことを特徴とする洗濯ネット。
【請求項２】
所定面積を有した１枚物で平面状態に展張させた展張姿勢と全面積を２分する位置で２つ折りした２つ折り姿勢とに変形させ得るようなネット本体（１）を有し、
前記ネット本体（１）の外周部に、２つ折り姿勢のネット本体（１）における折り部（Ｌ）を除く外周縁部を開閉自在に閉止するファスナー（２）を設け、
前記ネット本体（１）の２つ折り姿勢で該ネット本体（１）の内面側となる面における上下・左右に所定間隔を隔てた複数箇所に、それぞれ洗濯物吊下げ用の保持具（３）を着脱自在に連結し得る保持具取付部（４１，４１・・）を設けているとともに、
前記ネット本体（１）と前記各保持具取付部（４１，４１・・）に連結される複数個の保持具（３，３・・）とをセットにしている、
ことを特徴とする洗濯ネット。
【請求項３】
ネット本体（１）の外周縁部の適所に、該ネット本体（１）を展張状態で吊下げるための吊り具（６）を設けていることを特徴とする請求項１又は２に記載の洗濯ネット。
【発明の詳細な説明】
【技術分野】
【０００１】
本願発明は、洗濯物を収容して洗濯機で洗濯する際に使用する洗濯ネットに関するものである。
【背景技術】
【０００２】
一般家庭において汚れた洗濯物は、収納かご等に一時保管しておき、１回の洗濯量が溜まった時点で洗濯機で洗濯するのが一般的である。
【０００３】
ところで、洗濯機で洗濯する場合、各種の洗濯物をそのまま洗濯槽に入れて洗濯すると、洗濯中に洗濯物同士が絡まり合って洗濯・脱水後に各洗濯物ごとに分離させる作業が面倒となる。特に、ストッキングや靴下やタオル等の細長いもの、あるいは長袖の衣類やズボン等で細長部分があるものでは、洗濯物同士の絡まり度合いが強くなり易く、単品ごとに分離させる（ほぐす）のが非常に面倒となる。又、洗濯物同士が洗濯槽内で強く絡まると、生地に引っ張りや捩り等の作用が働くので、生地が傷んだり型崩れする（伸びて伸縮性を損ねる）原因にもなる。
【０００４】
そこで、従来から、洗濯機で洗濯する際に、小物の洗濯物（例えば、ランニングシャツ、パンツ、靴下、ストッキング、ブラジャー等）を洗濯ネットに収容して、他の洗濯物と絡まないようにすることがよく行われている。この種の一般的な洗濯ネットは、予め袋状に成形されたネット袋の開口部をファスナー（スライドファスナー）で開閉し得るようにしたものである。そして、洗濯ネットに入れて洗濯した小物洗濯物は、脱水後に洗濯ネットから取り出してそれぞれ物干し具に吊るして乾燥させる。尚、物干し具に吊るした洗濯物は、乾燥後に物干し具から外し、折畳み等の処理をして保管場所に収納するが、靴下等の一対を１組とするものでは、洗濯・乾燥・取り込み後に洗濯物群の中から一対のもの同士を捜し出してセットにした状態で保管される。
【発明の開示】
【発明が解決しようとする課題】
【０００５】
ところで、この種の洗濯ネットは、洗濯物を収容して洗濯機で洗濯・脱水することで洗濯物同士の絡まりを防止することを主たる機能としている。そして、従来の洗濯ネットを使用する場合は、洗濯物をネット袋内に入れて洗濯機で洗濯・脱水した後、その各洗濯物をネット袋から取り出して１枚ずつ（１対のものは１組ずつ）物干し具に吊るして乾燥させるが、従来の洗濯ネットは、洗濯物を洗濯機で洗濯・脱水処理するとき以外は用無しである。
【０００６】
即ち、一連の汚れ物処理作業としては、汚れた洗濯物を一時保管することから始まり、洗濯物が１回の洗濯量だけ溜まった時点で洗濯物を洗濯ネット内に収容して洗濯機で洗濯し、脱水後に洗濯ネット内から洗濯物を取り出して１枚ずつ物干し具に吊るし、乾燥後に各洗濯物をそれぞれ物干し具から外し、折畳み等の処理をして（靴下のような一対を１組とするものでは一対のもの同士を捜し出してセットにして）保管場所に収納するまでの各作業が必要であるが、従来の洗濯ネットは、洗濯物を単に洗濯機内で洗濯・脱水するときのみしか使用されない。
【０００７】
又、各洗濯物を洗濯ネット内に収容して洗濯する場合には、各洗濯物がネット袋内の狭い空間内に閉じ込められているものの各洗濯物がネット袋内で自由移動するので、ネット袋内で洗濯物同士が絡まり合うことがあり、洗濯物をネット袋から取り出して干す際に洗濯物同士の絡まりをほぐす（分離させる）作業が必要となる。
【０００８】
さらに、靴下等の一対を１組とする洗濯物は、洗濯・乾燥後の洗濯物群の中から一対のもの同士を捜し出してセットにする必要があるが、靴下はよく似た色及び柄のものが多くあり、洗濯物群の中から同じ色柄のもの（一対のもの）を捜し出すのに時間がかかるという問題があるほか、ときには１組の片方を紛失することがある。靴下等において１組の片方を紛失する原因としては、足から脱いで収納かごに一時保管する際、収納かごから洗濯ネット内に入れ替える際、洗濯・脱水後に物干し具に吊るす際、乾燥後に物干し具から洗濯物を外す際、取り入れた洗濯物群を持ち運ぶ際等に、一対のものがバラバラになってその片方が何処かに残されたままになることが考えられる。
【０００９】
そこで、本願発明は、洗濯ネットとして、洗濯物を洗濯機で洗濯する際の洗濯物収容機能のほかに、汚れ物（被洗濯物）の保管場所としての機能や、洗濯・脱水後に物干し具としての機能等を付加し得るとともに、洗濯時にネット袋内で洗濯物同士が絡まないようにし得る洗濯ネットを提供することを目的としている。
【課題を解決するための手段】
【００１０】
本願発明は、上記課題を解決するための手段として次の構成を有している。尚、本願発明は、洗濯機で洗濯する際に使用される洗濯ネットを対象にしている。
【００１１】
［本願請求項１の発明］
本願請求項１の発明の洗濯ネットは、所定面積を有した１枚物で平面状態に展張させた展張姿勢と全面積を２分する位置で２つ折りした２つ折り姿勢とに変形させ得るようなネット本体を有している。
【００１２】
このネット本体の外形形状は、展張姿勢で適宜の多角形（長方形が一般的である）や円形や長円形や楕円形や中間部に括れのある形状等の適宜のものが採用できるが、面積を２分する位置で線対称になる形状のものが好ましい。又、このネット本体の面積は、２つ折り姿勢でその内部に所望量の洗濯物を収容し得るものであればよく、例えば２つ折り姿勢で２０cm×２０cm〜４０cm×４０cm程度の範囲で複数種類の大きさのものを製作できる。尚、このネット本体の網目の大きさは、この種の汎用の洗濯ネットと同程度でよい（例えば、網目の直径が２mm〜１０mm程度）。
【００１３】
ネット本体の外周部には、２つ折り姿勢のネット本体における折り部を除く外周縁部を開閉自在に閉止するファスナーを設けている。このファスナーとしては、対面係合形のスライドファスナーが好ましい。又、このファスナーは、金属製のものでも使用可能であるが合成樹脂製のものが好ましい。
【００１４】
そして、この洗濯ネットでは、ファスナーを全開放させるとネット本体を平面状態に展張させることができる一方、ファスナーを全閉止させるとネット本体を２つ折り状態で全周を閉止した袋状に成形できる。
【００１５】
又、この洗濯ネットには、ネット本体の２つ折り姿勢でネット本体の内面側となる面に、上下・左右に所定間隔を隔てて複数個の洗濯物吊下げ用の保持具を取付けている。この保持具としては、クリップのように一対の挟み片で洗濯物の端部を挟圧保持し得るようにしたものが好ましいが、洗濯物の端部を保持し得るものであれば適宜の構造のものが採用可能である。尚、以下の説明では、この洗濯物吊下げ用の保持具を単にクリップということがある。
【００１６】
各クリップ（保持具）は、全体を合成樹脂で製作したものが好ましいが、バネ部分に金属（ステンレス）を使用した一般的なものでもよい。各クリップの取付間隔は、特に限定するものではないが、左右間隔が５〜１０cm程度で上下間隔が１０〜１５cm程度が適当である。尚、このクリップの使用個数は、ネット本体の大きさによって適宜に設定できる。又、この各クリップは、ネット本体に対して着脱自在に取付け得るようにすることが好ましい。
【００１７】
本願請求項１の発明の洗濯ネットは、ネット本体に予め上記の各保持具（クリップ）を取付けた状態で販売される。そして、この洗濯ネットは、下着や靴下のような小物の汚れ物（洗濯物）を複数枚収容して洗濯するのに適したもので、次のようにして使用できる。
【００１８】
まず普段は、ファスナーを全開放させてネット本体を平面状に展張させた状態で、クリップ取付面が手前側に向く姿勢で例えば脱衣場所の壁面等に吊り掛けておく。尚、この吊り掛け方法として、後述する本願請求項３のようにネット本体の外周縁部に吊り具を設けたものでは、該吊り具を利用して吊下げればよいが、該吊り具がないものではネット本体の上辺２箇所を別のクリップで挟持して吊下げたり、壁面にフック（２つ）を取付けてネット本体の上辺寄り２箇所の網目を各フックに掛けることで吊下げることができる。
【００１９】
洗濯すべき汚れ物が発生したときには、その都度、汚れ物の端部を適所のクリップで保持して吊下げておく。このとき、靴下のような一対を１組とする汚れ物は、１組を重ねた状態で１つのクリップで保持するとよい。又、アンダーシャツやパンツのような面積のある汚れ物は、広げた状態で左右２つのクリップで保持するとよい。このように、汚れ物を順次各クリップで吊下げておくと、汚れ物収納かごが不要になる。又、汚れ物の吊下げ状態が見苦しい場合は（目につき易い場所では）、ネット本体を裏返し状態に掛け替えたり２つ折り（下半部を上に折返す）したりすることで、汚れ物をネット面で見えにくくすることができる。
【００２０】
そして、この洗濯ネットを使用して汚れ物を洗濯するには、各汚れ物をそれぞれクリップで保持したままネット本体を２分する位置で汚れ物が内側になるように２つ折りし、続いて該２つ折りネット本体の外周縁部（折り部を除く）をファスナーで閉止する。この状態では、各汚れ物がそれぞれクリップで保持されたまま洗濯ネット（ネット袋）内に封入されている。そして、このまま汚れ物入りのネット袋を洗濯機の槽内に投入し、通常の洗濯を行うが、ネット袋内の各汚れ物はそれぞれクリップで保持されているので、該洗濯物がネット袋内で位置移動しなくなり、洗濯物同士が絡まることがない。
【００２１】
洗濯・脱水後、乾燥させる（物干し具で干す）には、洗濯物入りネット袋のファスナーを全開放させてネット本体を平面状態に展張させ、各洗濯物をそれぞれクリップで保持したままネット本体の外周適所（上辺部）を物干し具に支持させて、ネット本体を展張姿勢で吊下げる。このように洗濯物付きネットを物干し具から吊下げた状態では、ネット部分を風が自由に通過するので乾燥効率が悪くならない。尚、干し場所が人目につく場所では、洗濯物がネット裏側に位置する姿勢でネット本体を吊るすことができる。
【００２２】
そして、乾燥後は、洗濯ネットを洗濯物付きのままで取り込み、該洗濯物を仕分け（保管）する際に順次クリップから外すようにすれば、靴下のような１組のものでも確実にセット状態で扱うことができる（片方が紛失することがない）。
【００２３】
［本願請求項２の発明］
本願請求項２の発明は、上記請求項１の洗濯ネットにおいて、洗濯物吊下げ用の各保持具（クリップ）をネット本体から分離して、該ネット本体と各保持具とをセットにしたものである。
【００２４】
この請求項２の洗濯ネットでは、ネット本体として、請求項１のものと同様に、所定面積を有した１枚物で平面状態に展張させた展張姿勢と全面積を２分する位置で２つ折りした２つ折り姿勢とに変形させ得るようにしたものを使用している。又、該ネット本体の外周部には、２つ折り姿勢のネット本体における折り部を除く外周縁部を開閉自在に閉止するファスナーを設けている。尚、このネット本体及びファスナーの基本的構成は、上記請求項１に記載したものと同じでよい。
【００２５】
このネット本体には、ネット本体の２つ折り姿勢で内面側となる面における上下・左右に所定間隔を隔てた複数箇所に、それぞれ洗濯物吊下げ用の保持具（クリップ）を着脱自在に連結し得る保持具取付部を設けている。尚、以下の説明では、この保持具取付部をクリップ取付部ということがある。
【００２６】
この各保持具取付部（クリップ取付部）は、洗濯物吊下げ用の保持具（クリップ）を連結し得るものであれば適宜の構造のもの（例えばリング状のもの）が採用できる。そして、この各クリップ取付部は、予めネット本体に対して外れないように取付けられている。このクリップ取付部の取付間隔は、特に限定するものではないが、左右間隔が５〜１０cm程度で上下間隔が１０〜１５cm程度が適当である。尚、このクリップ取付部の取付個数は、ネット本体の大きさによって適宜に設定できる。
【００２７】
そして、この請求項２の洗濯ネットでは、上記した各保持具取付部（クリップ取付部）つきのネット本体と各クリップ取付部に着脱自在に連結される複数個の洗濯物吊下げ用の保持具（クリップ）とをセットにして構成されている。尚、この各保持具（クリップ）には、ネット本体の各保持具取付部（クリップ取付部）に対して着脱し得る係脱補助具を取付けておくとよい。
【００２８】
この保持具（クリップ）の個数は、ネット本体に取付けているクリップ取付部の個数と同数でもよいし、予備としてクリップ取付部の個数より数個程度多くてもよい。尚、各保持具（クリップ）としては、上記請求項１に使用したものを採用できる。
【００２９】
この請求項２の洗濯ネットを販売する際には、ネット本体と所定個数の保持具（クリップ）とをセットにして（一まとめにして）販売される。そして、この洗濯ネット（ネット本体とクリップとのセット）を購入者が使用する際に、各保持具（クリップ）をネット本体に取付けている各クリップ取付部に連結すればよい。尚、洗濯時において、洗濯物を保持していないクリップがあれば、その空のクリップをネット本体（クリップ取付部）から外しておくこともできる。
【００３０】
［本願請求項３の発明］
本願請求項３の発明は、上記請求項１又は２の洗濯ネットにおいて、ネット本体の外周縁部の適所に、ネット本体を展張状態で吊下げるための吊り具を設けていることを特徴としている。
【００３１】
この吊り具は、ネット本体を展張姿勢で吊下げるときの上辺部分に設けられていて、例えばハンガーの下辺の掛け棒部分や物干し竿等に係脱自在に係止し得るものである。
【００３２】
そして、この請求項３の洗濯ネットでは、汚れ物の保管場所として使用するとき及び洗濯物付き洗濯ネットを吊下げて乾燥させるとき等に、吊り具を物干し具に係止することでネット本体を展張姿勢で吊持できるようになっている。
【発明の効果】
【００３３】
［本願請求項１の発明の効果］
本願請求項１の洗濯ネットは、展張姿勢と２つ折り姿勢とに変形させ得るネット本体の外周部に２つ折り姿勢で袋状に成形し得るファスナーを設けるともに、ネット本体の内面側となる面に上下・左右に所定間隔を隔てて複数個の洗濯物吊下げ用クリップを取付けて構成されているので、次のような効果がある。
【００３４】
(1) ネット本体を展張姿勢で吊るしておけば、汚れ物が発生した時点でその汚れ物を順次適所のクリップで保持させることができ、この洗濯ネットを正規の機能（汚れ物を入れて洗濯する）のほかに汚れ物保管場所として利用できる。このように、洗濯ネットを汚れ物保管場所として使用できるようにすると、汚れ物収納かごや該収納かごの設置スペースが不要になる。尚、ネット本体を展張姿勢で吊るす場合は、壁面に沿わせて設置することができるので、設置スペース（床面積）をほとんどとらない。
【００３５】
(2) 各汚れ物をそれぞれクリップで保持した状態で洗濯ネット内に収容できるので、汚れ物入り洗濯ネットを洗濯機の槽内で洗濯する際に、各汚れ物が洗濯ネット内で移動しなくなり、該汚れ物（洗濯物）同士が絡まなくなる。従って、洗濯後に洗濯物同士のほぐし作業が不要になるとともに、絡みによる生地の傷みや型崩れを防止し得る。
【００３６】
(3) 汚れ物を洗濯ネットに入れて洗濯・脱水した後、ファスナーを全開放させることで、各洗濯物をそれぞれクリップで保持させたままネット本体を平面状態に展張させることができ、洗濯物付きの洗濯ネットをそのまま物干し具（例えば物干し竿やハンガー等）に掛けて乾燥させることができる。従って、洗濯物を乾燥させる（干す）のに各洗濯物を物干し具に掛け替える手間が不要になるとともに、この洗濯ネットを物干し具として有効利用できる。尚、各洗濯物はネット本体の片面に沿って吊下げられているが、ネット部分を風が自由に通過するので乾燥効率が悪くならない。
【００３７】
(4) 干し場所が人目につく場所では、洗濯物がネット裏側に位置する姿勢でネット本体を吊るすことで、洗濯物を見えにくくすることができ、ネット本体を洗濯物の目隠しとして利用することができる。
【００３８】
(5) 靴下のような一対１組のものでは、その１組ごとに１つのクリップで保持できるので、１組の汚れ物をクリップに保持させた時点から洗濯・脱水・乾燥し、洗濯物の取り込みが終わるまで、１組の洗濯物がバラバラになることがない。従って、乾燥後に洗濯物群の中から１組のものを捜し出す作業が不要になるとともに、１組のものでは片方が紛失し易いという問題を解消できる。
［本願請求項２の発明の効果］
本願請求項２の洗濯ネットは、複数箇所に保持具取付部（クリップ取付部）を設けたネット本体と、各保持具取付部に着脱自在に連結される複数個の保持具（クリップ）とをセットにしたものであり、この洗濯ネットを使用して洗濯する際に、１回の洗濯物の量（枚数）に応じた個数の保持具（クリップ）をネット本体に取付けることができる。
【００３９】
従って、この請求項２の洗濯ネットでは、上記請求項１の各効果に加えて、洗濯物の枚数が少ない場合に不要なクリップをネット本体（クリップ取付部）から外しておくと、空のクリップに洗濯物が絡まるという問題を未然に防止できるとともに、クリップが故障あるいは破損した場合にその取り替えが簡単に行えるという効果がある。
［本願請求項３の発明の効果］
本願請求項３の発明では、上記請求項１又は２の洗濯ネットにおいて、ネット本体の外周縁部の適所にネット本体を展張状態で吊下げるための吊り具を設けている。従って、この請求項２の洗濯ネットでは、上記請求項１の各効果に加えて、洗濯物付き洗濯ネットを物干し具（物干し竿やハンガー等）から吊下げる際に上記吊り具を使用することで吊下げ作業が簡単に行えるとともに、特別な吊り具を用意しなくてよいという効果がある。
【発明を実施するための最良の形態】
【００４０】
以下、図１〜図５を参照して本願の好適な実施形態を説明すると、図１〜図４には本願の第１実施形態の洗濯ネットを示し、図５には本願の第２実施形態の洗濯ネットを示している。尚、図１は、第１実施形態の洗濯ネットを平面状態に展張させた正面図であり、図２は図１のII−II拡大断面図であり、図３は図１の洗濯ネットを２つ折りした拡大正面図であり、図４は図３の状態からファスナー２を全閉止した状態の側面図である。又、図５は、第２実施形態の洗濯ネットにおける使用前の説明図である。
【００４１】
「図１〜図４の第１実施形態の説明」
第１実施形態の洗濯ネットは、図１に示すように、所定面積を有した１枚物のネット本体１の外周縁部に２つ折り状態で袋状に成形するためのファスナー２を設けるとともに、ネット本体１を２つ折りしたときの内面側となる面に複数個の洗濯物吊下げ用クリップ３，３・・を取付けていることを基本構成としている。
【００４２】
ネット本体１は、ネット部１１の外周部全周に柔軟な補強枠部１２を設けている。このネット本体１の形状及び大きさは、数種類のものが製作可能であるが、この実施形態では、図１に示すように展張状態において縦長長方形状で横幅が３５cm、縦長さが７０cm程度のものが採用されている。ネット部１１の網目の大きさは、この種の汎用の洗濯ネットと同程度（特に限定するものではないが、例えば２〜１０mm程度）のものが採用できる。尚、ネット本体１の四隅部分は、後述するファスナー２をスムーズに開閉させるためにアール状に角取りしている。
【００４３】
そして、このネット本体１は、図１に示すように平面状態に展張させた展張姿勢と、面積を２分する位置（図１の折り線Ｌ）で２つ折りした２つ折り姿勢（図３の状態）とに変形させ得るようになっている。尚、ネット本体１の形状は、面積を２分する位置で２つ折りした際に線対称になる形状であれば、長方形のほかに適宜の多角形（二等辺三角形、正方形、ひし形、正五角形、正六角形等）や円形や長円形や楕円形や中間部に括れのある形状等の適宜のものが採用できる。
【００４４】
ネット本体１を袋状に成形するためのファスナー２としては、対面係合形のスライドファスナーが採用されている。即ち、このファスナー２は、図１に示すように、ネット本体１の面積を２分する折り線Ｌを境にしてその上側外周縁部と下側外周縁部の各補強枠部１２にそれぞれエレメント２２付きのテープ２１を縫着しており、各側のエレメント２２，２２をスライダー２３で嵌脱させ得るようにしている。そして、このファスナー２の閉止作業は、図３に示すようにネット本体１を２つ折りした状態で、スライダー２３を各辺（３辺）に沿って移動させることで行える。尚、このファスナー２は、水中に浸ける関係で合成樹脂製のものが好ましい。
【００４５】
２つ折り状態でネット本体１の内面側になる面には、上下・左右に所定間隔をもって複数個の洗濯物吊下げ用の保持具（以下、これをクリップという）３，３・・が取付けられている。この各クリップ３，３・・は、この第１実施形態では、図１に示すように上下方向に５段で左右方向に４個と３個を交互に配置した合計１８個を使用している。この第１実施形態では、上下のクリップ３，３の間隔が１３cm程度で、左右のクリップ３，３の間隔が８cm程度に設定している。又、上下に隣接する各段のクリップ３，３・・は、相互に左右のクリップ３，３の間に位置するように設置しているとともに、ネット本体１を２つ折りしたときに図３に示すように各クリップ３，３・・が同位置に重ならないように位置決めしている。
【００４６】
各クリップ３は、合成樹脂製で、図２に示すように一対の挟み片３１，３１をバネ部３２で一体に連結したものを採用している。一方の挟み片３１の摘まみ部には取付け用の小孔が形成されている。
【００４７】
そして、各クリップ３，３・・は次のように取付けられている。即ち、ネット部１１に上下に所定間隔（１３cm間隔）をもって布地製の横長台生地４を上下５本固定し、該各台生地４，４・・のそれぞれ所定位置に、図２に示すように第１連結環（クリップ取付部）４１と第２連結環４２を介してクリップ３を吊下げ保持させている。第１連結環４１は台生地４に対して離脱不能に取付けられている。第２連結環４２は、その一部を切り欠いて該切欠部を弾性により開閉させ得るようになっており、該切欠部を広げることで第２連結環４２を第１連結環４１に対して着脱自在に連結し得るようにしている。尚、クリップ３は、挟み片３１の小孔に第２連結環４２の切欠端部を係入させることで第２連結環４２に連結し得る。
【００４８】
そして、このクリップ３は、各挟み片３１，３１の摘まみ部分を摘まむと、図２に鎖線図示（符号３′）するように各挟み片の先端側が開き、そこに洗濯物１０の端部を差し込むことで該洗濯物１０を保持できるようになっている。尚、図２の実施形態では、クリップ３としてバネ部３２も含めて合成樹脂で一体成型したものを使用しているが、他の実施形態では、バネ部が金属の一般的なクリップを採用してもよい。
【００４９】
ネット本体１における２つ折り時に内面側となる面の上下各端部には、相互に接離自在に接着する一対の面ファスナー５Ａ，５Ｂが左右２組取付けられている。この各組の面ファスナー５Ａ，５Ｂは、図３に示すようにネット本体１を２つ折りした際にその２つ折りネットが開かないように仮接着させるものである。
【００５０】
ネット本体１の上辺部となる外周縁部には、該ネット本体１を展張状態で吊下げるための吊り具６を設けている。この実施形態の吊り具６は、物干し具（例えばハンガー７の掛け棒７１部分）に帯片６１を巻き掛けてネット本体１を吊下げ得るようにしたもので、ネット本体１の上辺部の左右各端部寄り位置に一対設けている。
【００５１】
この各吊り具６，６は、図２に示すように所定長さの帯片６１の各端部に雌雄のホック６２，６３を取付けたものを使用し、それぞれ帯片６１の一端側をネット本体１の補強枠部１２の上辺部の左右各端部寄り位置に固定して取付けている。そして、この各吊り具６，６は、一方のホック６２を他方のホック６３から外すと、帯片６１を図２に鎖線図示（符号６１′）するように伸展させることができ、その状態から帯片６１′の自由端側をハンガーの掛け棒７１に巻き掛けした後、両ホック６２，６３を止着することで、図１又は図３に示すようにネット本体１を物干し具（ハンガー７の掛け棒７１）に吊下げ得るようになっている。尚、この実施例では、各吊り具６，６としてハンガー７の掛け棒７１（細い）に巻き掛けるものが採用されているが、この吊り具６を物干し竿（太い）に巻き掛ける場合には、帯片６１の長さを長くするとよい。
【００５２】
この第１実施形態の洗濯ネットは、下着や靴下のような小物の汚れ物（洗濯物）１０，１０・・を複数枚収容して洗濯するのに適したもので、次のようにして使用できる。
【００５３】
まず普段は、図１に示すように、ファスナー２を全開放させてネット本体１を平面状に展張させた状態で例えば脱衣場所の壁面等に吊り掛けておく。その際、図１に示すようにネット本体１の上辺部を左右に伸展させた状態で、各吊り具６，６の帯片６１，６１をハンガー７の掛け棒７１に巻き掛けておけば、ネット本体１を展張姿勢で吊下げることができる。尚、ハンガー７は、ネット本体１のクリップ取付面が手前側に向く姿勢で壁面の適所に吊り掛けておく。
【００５４】
洗濯すべき汚れ物１０が発生したときには、その都度、該汚れ物１０の端部を適所のクリップ３で保持して吊下げておく。このとき、靴下のような一対を１組とする汚れ物１０は、１組を重ねた状態で１つのクリップ３で保持させておく。又、アンダーシャツやパンツのような面積のある汚れ物１０は、広げた状態で左右２つのクリップ３，３で保持させておくと、洗濯後に当該洗濯物１０をそのまま広げた状態で乾燥させる（干す）ことができる。
【００５５】
汚れ物１０の吊下げ状態が見苦しい場合は（目につき易い場所では）、ネット本体１を裏返し状態に掛け替えたり、図３に示すように２つ折り（下半部を上に折返す）したりすることで、汚れ物１０をネット部１１で見えにくくすることができる。又、図３に示すように、ネット本体１を２つ折りにする場合は、一対の面ファスナー５Ａ，５Ｂ（左右２箇所ある）を接着させることで、ネット本体１を２つ折り状態で仮保持できる。尚、ネット本体１の２つ折り状態から次の汚れ物１０をクリップに保持させるには、左右の面ファスナー５Ａ，５Ｂを剥がしてネット本体１を開放させればよい。
【００５６】
そして、各クリップ３，３・・に所定枚数の汚れ物１０，１０・・を保持させた後、この洗濯ネットを使用して洗濯するには、各汚れ物１０，１０・・をそれぞれクリップ３，３・・で保持したまま図３に示すようにネット本体１を２つ折りし、各吊り具６，６をハンガー７の掛け棒７１から外して、２つ折りネット本体１の外周縁部（折り部Ｌを除く）をファスナー２で閉止する。この状態では、図４に示すように各汚れ物１０，１０・・がそれぞれクリップ３，３・・で保持されたまま袋状の洗濯ネット内に封入されている。そして、このまま汚れ物入りのネット袋１を洗濯機の槽内に投入し、通常の洗濯を行うが、ネット袋１内の各汚れ物１０，１０・・はそれぞれクリップ３，３・・で保持されているので、該洗濯物１０，１０・・がネット袋１内で位置移動しない（洗濯物同士が絡らまない）。
【００５７】
洗濯・脱水後、乾燥させる（物干し具で干す）には、洗濯物入りネット袋のファスナー２を全開放させて、ネット本体１を図１に示すように平面状態に展張させ、各吊り具６，６をハンガー７の掛け棒７１に巻き掛けた後、ハンガー７のフックを適所に引っ掛ける。このとき、各洗濯物１０，１０・・はそれぞれクリップ３，３・・で保持されたままであり、各洗濯物１０，１０・・を個別に物干し具に付け替える必要はない。尚、このとき、各クリップ３，３・・で吊持している洗濯物１０，１０・・に捩れや折返し状の皺がある場合は、該洗濯物１０を手作業で整形しておく（広げておく）とよい。
【００５８】
洗濯物付きネットを吊下げた状態では、ネット部１１を風が自由に通過するので乾燥効率が悪くならない。又、干し場所が人目につく場所では、洗濯物１０がネット裏側に位置する姿勢で吊るしておけば、洗濯物１０が外部から見えにくくなる。
【００５９】
そして、乾燥後は、洗濯ネットを洗濯物付きのままで取り込み、該洗濯物１０，１０・・を仕分け（保管）する際に順次クリップ３，３・・から外すようにすれば、靴下のような１組のものでも確実にセット状態で扱うことができる（片方が紛失することがない）。
【００６０】
このように、本願実施形態の洗濯ネットでは、単に汚れ物を入れて洗濯する用途のほかに、汚れ物の保管場所として利用できるとともに、洗濯後にそのまま物干し具として使用することができる。又、汚れ物１０を洗濯ネットに入れて洗濯する際に、各汚れ物１０がそれぞれクリップ３で保持されているので、各汚れ物１０が洗濯ネット内で移動しなくなり、該汚れ物（洗濯物）同士が絡まなくなる。さらに、汚れ物１０をクリップ３に保持させた時点から、洗濯・脱水・乾燥終了まで洗濯物１０を付け替える必要がないので、一連の洗濯作業が非常に省力化できるとともに、靴下のような１組のものは最後まで一緒に保持されるのでバラバラになることがない、等の多くの機能を有している。
【００６１】
「図５の第２実施形態の説明」
図５に示す第２実施形態の洗濯ネットは、図１の第１実施形態の洗濯ネットにおいて、各クリップ３，３・・をネット本体１から分離して、該ネット本体１と各クリップ３，３・・とをセットにしたものである。
【００６２】
ネット本体１には、予め上下・左右に所定間隔をもって複数箇所にそれぞれクリップ３を連結し得るクリップ取付部（請求項３における保持具取付部となる）４１，４１・・が設けられている。尚、この第２実施形態における各クリップ取付部４１，４１・・は、第１実施形態の各第１連結環のことであり、図示例では合計１８個設けている。
【００６３】
図５の第２実施形態において、ネット本体１、ファスナー２、面ファスナー５Ａ，５Ｂ、吊り具６，６等は第１実施形態のものと同じである。
【００６４】
各クリップ３，３・・には、ネット本体１側のクリップ取付部（第１連結環）４１に係脱自在に連結させるための係脱補助具４２が取付けられている。この係脱補助具４２は、第１実施形態（図２）の第２連結環４２と同じものを使用しており、その切欠部を広げることで係脱補助具（第２連結環４２）をクリップ取付部（第１連結環）４１に対して着脱自在に連結し得るようにしている。各クリップ３，３・・は、販売時にはネット本体１（クリップ取付部４１）から分離して一まとめにして袋８で包装しておくとよい。
【００６５】
この第２実施形態の洗濯ネットは、販売時にネット本体１と所定個数のクリップ３，３・・とをセットにして（一まとめにして）販売される。そして、この洗濯ネットを購入者が使用する際に、各クリップ３，３・・をネット本体１の各クリップ取付部（第１連結環）４１，４１・・に連結すれば、図１に示す形態とすることができる。尚、各クリップ３，３・・を取付けた図１の状態では、上記第１実施形態で説明した機能を有している。
【００６６】
又、この第２実施形態の洗濯ネットでは、洗濯時において、洗濯物を保持していないクリップがあれば、その空のクリップをネット本体１（クリップ取付部４１）から外しておくと、洗濯中に洗濯物が空のクリップに絡まるという問題を未然に解消できる。
【図面の簡単な説明】
【００６７】
【図１】本願第１実施形態の洗濯ネットを展張させた状態の正面図である。
【図２】図１のII−II拡大断面図である。
【図３】図１の洗濯ネットを２つ折りした状態の拡大正面図である。
【図４】図３の状態からファスナーを閉止した状態の側面図である。
【図５】本願第２実施形態の洗濯ネットを展張させた状態の正面図である。
【符号の説明】
【００６８】
１はネット本体、２はファスナー（スライドファスナー）、３はクリップ、４は台生地、５は面ファスナー、６は吊り具、７はハンガー、１０は汚れ物（洗濯物）、４１は保持具取付部（第１連結環）、４２は係脱補助具（第２連結環）である。
【図１】
2008284086.tif 000003
【図２】
2008284086.tif 000004
【図３】
2008284086.tif 000005
【図４】
2008284086.tif 000006
【図５】
2008284086.tif 000007